(57)【要約】【課題】着用者の脇下部にソフトに密着してフィットし、汗取り作用を迅速確実にして快適な着心地を具備させると共に、おしゃれ感を損なわずに表から目立たない汗取り機能を備えた上半身用衣類を提供すること。【解決手段】前身頃２と後身頃３とに形成されている脇刳り部８の周縁下部８ａに汗取り布９の下端９ａ側がＵ字状に接合され、この汗取り布９の上部が途中で身頃側下方へ折り返され、その折り返し端９ｂ側が少なくとも１箇所で前後身頃２，３の側部上下方向の接合部上に止着されている。【選択図】図１
2010121235.tif 000002
【特許請求の範囲】
【請求項１】
前身頃と後身頃とに形成されている脇刳り部の周縁下部に汗取り布の下端側がＵ字状に接合され、この汗取り布の上部が途中で身頃側下方へ折り返され、その折り返し端側が少なくとも１箇所で前後身頃の側部上下方向の接合部上に止着されていることを特徴とする上半身用衣類。
【請求項２】
前身頃と後身頃とに形成されている脇刳り部の周縁下部に汗取り布の下端側がＵ字状に接合され、この汗取り布の上部が途中で袖部側下方へ折り返され、その折り返し端側が少なくとも１箇所で袖部の下半周側の接合部上に止着されていることを特徴とする上半身用衣類。
【請求項３】
前記汗取り布は、その周縁が切りっぱなしのままとされていることを特徴とする請求項１又は２に記載の上半身用衣類。
【発明の詳細な説明】
【技術分野】
【０００１】
本発明は、脇下部の汗取り機能を備えた上半身用衣類の改良に関するものである。
【背景技術】
【０００２】
従来、脇下部の汗取り機能を備えた上半身用衣類として、汗取り布を上半身用衣類の脇下部内側に配置し、この汗取り布を粘着テープで身頃生地と袖生地に止めるようにしたものがある（例えば、特許文献１参照）。
また、汗取り布を上半身用衣類の脇下部内側に配置し、この汗取り布の周縁を身頃生地及び袖生地に縫い付けたものもある（例えば、特許文献２参照）。
さらに、汗取り布の略中央部を上半身用衣類の脇下部内側に、身頃生地側と袖生地側の縫合部に沿って縫合し、この縫合位置の両側の汗取り布を身頃生地側と袖生地側へ延出させたままで遊離端としたものも提案されている（例えば、特許文献３等参照）。
【特許文献１】特公平０４−０５７７６３号公報
【特許文献２】実公昭５４−２７２２号公報
【特許文献３】特開２００５−２９０５８４号公報
【発明の開示】
【発明が解決しようとする課題】
【０００３】
特許文献１のものは、着用中に汗取り布が身生地や袖生地から剥離して移動し易くなり、また洗濯時に紛失し易いという問題点があった。
特許文献２のものは、上半身用衣類の脇下部に汗取り布を縫着していることが表から目立ち、若い人には恥じらいや、おしゃれ感に欠ける等の理由で敬遠され勝ちであった。
特許文献３のものは、汗取り布の略中央部が脇刳り部の周縁の最下部に縫合されており、これであると、汗取り布が途中で折り返されるが、この折り返し部の頂部稜線が脇刳り部の周縁下部に沿ってＵ字状になってしまうため、結局、汗取り布の折り返し部の頂部稜線が着用者の脇下に密着せず、下方に離れてしまい、脇下の汗取り作用が不確実となったり、遅延するという問題点があった。
【０００４】
本発明は、着用者の脇下部にソフトに密着してフィットし、汗取り作用を迅速確実にして快適な着心地を具備させると共に、おしゃれ感を損なわずに表から目立たない汗取り機能を備えた上半身用衣類を提供することを目的としている。
【課題を解決するための手段】
【０００５】
前記目的を達成するために本発明に係る上半身用衣類は、前身頃と後身頃とに形成されている脇刳り部の周縁下部に汗取り布の下端側がＵ字状に接合され、この汗取り布の上部が途中で身頃側下方へ折り返され、その折り返し端側が少なくとも１箇所で前後身頃の側部上下方向の接合部上に止着されていることを特徴としている。
この構成によれば、汗取り布の折り返し頂部稜線部分を脇刳り部の最下端よりも上方に浮き上がらせて着用者の脇下付け根に接近させることができ、これによって、汗取り布の折り返し頂部稜線部分を着用者の脇下部にソフトに密着させてフィットさせることができる。
【０００６】
また、汗取り布を、前後身頃の脇刳り部に沿う位置と前後身頃の側部上下方向の接合部上の位置とで身頃生地に接合しているため、身頃生地に汗取り布を接合しているにも拘わらず、外部からは、汗取り布を接合していることを目立たなくすることができる。
また、本発明に係る上半身用衣類は、前身頃と後身頃とに形成されている脇刳り部の周縁下部に汗取り布の下端側がＵ字状に接合され、この汗取り布の上部が途中で袖部側下方へ折り返され、その折り返し端側が少なくとも１箇所で袖部の下半周側の接合部上に止着されていてもよく、この構成によっても、前記構成のものと同様の作用効果を奏することができる。
【０００７】
また、前記汗取り布は、その周縁が切りっぱなしのままとされていることによって、汗取り布の周縁を薄くしなやかにすることができ、着用者の動作に柔軟に追従させて肌への接触をソフトなものとし、違和感をなくして着心地を一層良好とし、外部からも目立たなくすることができる。
【発明の効果】
【０００８】
本発明によれば、着用者の脇下部にソフトに密着してフィットし、汗取り作用を迅速確実にして快適な着心地を具備させると共に、おしゃれ感を損なわずに表から目立たない汗取り機能を備えた上半身用衣類を提供することができる。
【発明を実施するための最良の形態】
【０００９】
以下、本発明の実施形態を図面を参照して説明する。
図１〜図４は本発明の第１の実施形態を示しており、１は総体的に本発明に係る上半身用衣類を示している。この上半身用衣類１は、前身頃２と後身頃３と袖部４を有している。
前身頃２と後身頃３とは、所定パターンで裁断された生地を重ね合わせて肩部５，５と両側部６，６で縫合されることにより円筒状の胴部を形成しており、上部中央部には首回り部７が形成され、また、両側上部には脇刳り部８，８が形成されている。
【００１０】
この脇刳り部８，８には、袖部４，４が縫合されており、この縫合部分に汗取り布９，９が取付配置されている。袖部４，４は、半袖、七分袖、長袖のいずれであってもよい。
また、汗取り布９は、吸汗性及び速乾性を備えた布生地で構成されるのが好ましく、その形状としては、少なくとも一端側が前記脇刳り部８の周縁下部８ａに沿うような円弧状周縁とされ、他端側は特に制約はなく、本実施形態では、全体を楕円形状に裁断した場合を例示している。
また、上記汗取り布９は、周縁を切りっぱなし状態のままで使用するために、熱融着性繊維（例えば、ポリウレタン繊維等の比較的に低融点の熱融着性繊維が好ましい。）と該繊維よりも高融点の他の繊維（例えば、綿、ポリエステル、ナイロン、ポリエチレン、キュプラ等の前記熱融着性繊維よりも高融点の繊維が好ましい。）とを含み、予め、熱融着性繊維の融点以上で他の繊維の融点以下の温度で熱セットされて解れ止め処理された生地片で構成されるのが好ましい。
【００１１】
具体的には、上記生地片は、熱融着性繊維を含む糸で編成されたフライス生地、例えば、アクティコット（旭化成工業（株）社製のキュプラとポリエステルとからなる繊維の商品名）と綿とポリウレタン（熱融着性繊維）とからなる糸、繊維配合率：アクティコット５０％（キュプラ２５％、ポリエステル２５％）、綿３５％、ポリウレタン（熱融着性繊維）１５％からなる糸で編成されたフライス生地が使用可能である。
このような生地を用いることにより、汗取り布９は、その周縁を切りっぱなし状態のままで使用することができ、このような状態で使用しても、周縁が解れることがなく、また、嵩張らず、ソフトで柔軟性に富むものとすることができる。
【００１２】
また、前後身頃２，３を構成する生地は、特に制約はなく、上記汗取り布９と同一構成の生地でもよいし、他の構成の生地でもよい。
前記汗取り布９の具体的な取り付け構造は、図１〜図３に示すように、前身頃２と後身頃３とに形成されている脇刳り部８の周縁下部８ａに汗取り布９の下端９ａ側の周縁が縫い糸１０によってＵ字状に縫合され、この汗取り布９の途中が前記Ｕ字状の縫合上端位置から前後身頃２，３の内側下方へ折り返され、その折り返し端９ｂ側が少なくとも１箇所で前記前身頃２と後身頃３の両側６，６の内面において上下方向の縫合部上に縫い止め糸１１によって止着されている。
【００１３】
前身頃２と後身頃３の両側６，６は、図４に示すように、生地の両端２ａ、３ａが内側に折り込まれて重ね合わされ、この状態で縫合されており、この縫合部に汗取り布９の折り返し端９ｂが縫い止め糸１１で止着されている。
本発明に係る上半身用衣類１の第１の実施形態は、前身頃２と後身頃３とに形成されている脇刳り部８の周縁下部８ａに汗取り布９の下端９ａ側が縫い糸１０によってＵ字状に縫合され、この汗取り布９の上部が途中で身頃側下方へ折り返され、その折り返し端９ｂ側が少なくとも１箇所で前後身頃２，３の側部６の上下方向の接合部上に縫い止め糸１１によって止着されていることによって、汗取り布９の折り返し頂部稜線部分９ｃを脇刳り部８の最下端（周縁下部８ａ）よりも上方に浮き上がらせて着用者の脇下付け根に接近させることができ、これによって、汗取り布９の折り返し頂部稜線部分９ｃを着用者の脇下部にソフトに密着させてフィットさせることができる。
【００１４】
また、汗取り布９を、前後身頃２，３の脇刳り部８に沿う位置と前後身頃２，３の側部６の上下方向の縫合部上の位置とで身頃生地に接合しているため、身頃生地に汗取り布９を接合しているにも拘わらず、外部からは、汗取り布９を縫合していることを目立たなくすることができる。
図５、図６は本発明の第２の実施形態を示しており、この実施形態においては、前身頃２と後身頃３とに形成されている脇刳り部８の周縁下部８ａに汗取り布９の下端９ａ側が縫い糸１０によってＵ字状に縫合され、この汗取り布９の上部が途中で袖部４側下方へ折り返され、その折り返し端９ｂ側が少なくとも１箇所で袖部４の下半周側の縫合部上に縫い止め糸１１によって止着されている。
【００１５】
袖部４の下半周部は、図６に示すように、生地の両端４ａ、４ｂが内側に折り込まれて重ね合わされ、この状態で縫合されており、この縫合部に汗取り布９の折り返し端９ｂが縫い止め糸１１で止着されている。
本発明に係る上半身用衣類１の第２の実施形態は、前身頃２と後身頃３とに形成されている脇刳り部８の周縁下部８ａに汗取り布９の下端９ａ側が縫い糸１０によってＵ字状に縫合され、この汗取り布９の上部が途中で袖部４側下方へ折り返され、その折り返し端９ｂ側が少なくとも１箇所で袖部４の下半周側の接合部上に縫い止め糸１１によって止着されていることによって、前記第１の実施形態のものと同様の作用効果を奏する。
【００１６】
前記汗取り布９は、その周縁が切りっぱなしのままとされていることによって、汗取り布９の周縁を薄くしなやかにすることができ、着用者の動作に柔軟に追従させて肌への接触をソフトなものとし、違和感をなくして着心地を一層良好とし、外部からも目立たなくすることができる。
本発明の実施形態は、以上からなるが、本発明は、上記実施形態にのみ制約されるものではなく、例えば、汗取り布９は、縫合の代わりに、接着、その他の接合手段で接合してもよい。
【００１７】
また、本発明は、半袖、長袖、七部袖等の袖付き肌着或いは袖なし肌着やインナーウエア、ブラウス等の女性用の上半身用衣類に適用することができ、勿論、男性用の上半身用衣類に適用することができる。なお、袖なし衣類に適用する場合は、図１に示す第１実施形態において、袖部４を取り除いた状態で汗取り布９を脇刳り部８の周縁下部８ａに取り付ければよいものである。
【図面の簡単な説明】
【００１８】
【図１】本発明に係る上半身用衣類の第１の実施形態の要部破断正面図である。
【図２】第１の実施形態における汗取り布の取り付け状態の概略斜視図である。
【図３】第１の実施形態における汗取り布の取り付け状態の概略右側面図である。
【図４】図１のＡ−Ａ線断面図である。
【図５】本発明に係る上半身用衣類の第２の実施形態の要部破断正面図である。
【図６】図５のＢ−Ｂ線断面図である。
【符号の説明】
【００１９】
１    上半身用衣類
２    前身頃
３    後身頃
４    袖部
５    肩部
６    側部
７    首回り部
８    脇刳り部
９    汗取り布
１０    縫い糸
１１    縫い止め糸
【図１】
2010121235.tif 000003
【図２】
2010121235.tif 000004
【図３】
2010121235.tif 000005
【図４】
2010121235.tif 000006
【図５】
2010121235.tif 000007
【図６】
2010121235.tif 000008